【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
表示領域を有する表示部と、
前記表示領域に積層されて設けられ、第１の接触操作を検出する第１センサ部と、
前記表示領域と重ならない領域に設けられ、第２の接触操作を検出する、１以上の第２センサ部と、
前記第１センサ部の検出結果と１以上の前記第２センサ部の各々の検出結果とを取得し、取得した２つの検出結果の組み合わせに対応させて、予め定めた複数種類の制御処理のうち一つの制御処理を実行する制御部と、
を備える入力装置。
【請求項２】
前記第２センサ部は、第１の組である２つのセンサ部を含み、
前記第１の組の２つのセンサ部のうち一方のセンサ部は、前記表示領域に対して一の側に当該表示領域の周縁部に沿って延在するように配置されていて、前記第１の組の２つのセンサ部のうち他方のセンサ部は、前記表示領域を挟んで前記一の側とは反対側である他の側に当該表示領域の周縁部に沿って延在するように配置されている、
請求項１に記載の入力装置。
【請求項３】
前記第１センサ部は、前記第１の接触操作において接触された当該第１センサ部上の接触位置を検出し、
前記１以上の第２センサ部のそれぞれは、前記表示領域の周縁部に沿って延在するように配置されていて、当該各第２センサ部上の接触位置を検出し、
前記制御部は、前記第２の接触操作が、
前記第１の組の前記一方のセンサ部により検出される接触位置の前記表示領域の前記周縁部に沿った移動方向と、前記第１の組の前記他方のセンサ部により検出される接触位置の前記表示領域の前記周縁部に沿った移動方向とが、前記表示領域に対し交差方向から見たときに、前記表示領域の前記周縁部に沿って逆方向となる組合せの操作であるとき、前記表示領域に表示されている画像を回転させることを実行する、
請求項２に記載の入力装置。
【請求項４】
前記第１センサ部は、前記第１の接触操作において接触された当該第１センサ部上の接触位置を検出し、
前記１以上の第２センサ部のそれぞれは、前記表示領域の周縁部に沿って延在するように配置されていて、当該各第２センサ部上の接触位置を検出し、
前記制御部は、前記第２の接触操作が、
前記第１の組の前記一方のセンサ部により検出される接触位置の前記表示領域の前記周縁部に沿った移動方向と、前記第１の組の前記他方のセンサ部により検出される接触位置の前記表示領域の前記周縁部に沿った移動方向とが、前記表示領域に対し交差方向から見たときに、前記表示領域の前記周縁部に沿って同一方向となる組合せの操作であるとき、前記表示領域に表示されている画像を、前記同一方向にスクロールさせることを実行する、
請求項２に記載の入力装置。
【請求項５】
前記第２センサ部は、第２の組である２つのセンサ部をさらに含み、
前記第２の組の２つのセンサ部は、前記第１の組の２つのセンサ部に対して、前記表示領域の周縁部に沿って９０度回転した位置に配置されていて、
前記第２の組の２つのセンサ部のうち一方のセンサ部は、前記表示領域に対して一の側に当該表示領域の周縁部に沿って延在するように配置されていて、前記第２の組の２つのセンサ部のうち他方のセンサ部は、前記表示領域を挟んで前記一の側とは反対側である他の側に当該表示領域の周縁部に沿って延在するように配置されている、
請求項２に記載の入力装置。
【請求項６】
前記第１センサ部は、前記第１の接触操作において接触された当該第１センサ部上の接触位置を検出し、
前記１以上の第２センサ部のそれぞれは、前記表示領域の周縁部に沿って延在するように配置されていて、当該各第２センサ部上の接触位置を検出し、
前記制御部は、前記第２の接触操作が、
前記第２の組の前記一方のセンサ部により検出される接触位置の前記表示領域の前記周縁部に沿った移動方向と、前記第２の組の前記他方のセンサ部により検出される接触位置の前記表示領域の前記周縁部に沿った移動方向とが、前記表示領域に対し交差方向から見たときに、前記表示領域の前記周縁部に沿って逆方向となる組合せの操作であるとき、前記表示領域に表示されている画像を回転させることを実行する、
請求項５に記載の入力装置。
【請求項７】
前記第１センサ部は、前記第１の接触操作において接触された当該第１センサ部上の接触位置を検出し、
前記１以上の第２センサ部のそれぞれは、前記表示領域の周縁部に沿って延在するように配置されていて、当該各第２センサ部上の接触位置を検出し、
前記制御部は、前記第２の接触操作が、
前記第２の組の前記一方のセンサ部により検出される接触位置の前記表示領域の前記周縁部に沿った移動方向と、前記第２の組の前記他方のセンサ部により検出される接触位置の前記表示領域の前記周縁部に沿った移動方向とが、前記表示領域に対し交差方向から見たときに、前記表示領域の前記周縁部に沿って同一方向となる組合せの操作であるとき、前記表示領域に表示されている画像を前記移動方向と同じ方向にスクロールさせることを実行する、
請求項５に記載の入力装置。
【請求項８】
前記第１センサ部は、前記第１の接触操作において接触された当該第１センサ部上の接触位置を検出し、
前記１以上の第２センサ部のうち一つの第２センサ部は、前記表示領域の周縁部に沿って延在するように配置されていて、当該一つの第２センサ部上の接触位置を検出し、
前記制御部は、
前記第１の接触操作が検出されていて、かつ、前記一つの第２センサ部により検出される接触位置の前記表示領域の前記周縁部に沿った移動方向が一の方向である操作が前記第２の接触操作として検出されているとき、前記表示領域に表示されている画像を前記第１の接触操作による接触位置を中心として拡大表示させることか、及び、
前記第１の接触操作が検出されていて、かつ、前記一つの第２センサ部により検出される接触位置の前記表示領域の前記周縁部に沿った移動方向が前記一の方向とは逆方向である操作が前記第２の接触操作として検出されているとき、前記表示領域に表示されている画像を前記第１の接触操作による接触位置を中心として拡大表示させることの、少なくともいずれかを実行する、
請求項１に記載の入力装置。
【請求項９】
表示領域を有する表示部と、
前記表示領域に積層されて設けられ、第１の接触操作を検出する第１センサ部と、
前記表示領域と重ならない領域に設けられ、第２の接触操作を検出する、１以上の第２センサ部と、
前記第１センサ部の検出結果と１以上の前記第２センサ部の各々の検出結果とを取得し、取得した２つの検出結果の組み合わせに対応させて、予め定めた複数種類の制御処理のうち一つの制御処理を実行する制御部と、
を備える
電子機器。
【請求項１０】
表示部と、第１センサ部と、第２センサ部と、を備える入力装置を用いた入力方法であって、
前記入力装置の前記表示部は表示領域を有し、
前記入力装置の前記第１センサ部は、前記表示領域に積層されて設けられ、第１の接触操作を検出し、
前記入力装置の前記１以上の第２センサ部は、前記表示領域と重ならない領域に設けられ、第２の接触操作を検出し、
前記第１センサ部の検出結果と１以上の前記第２センサ部の各々の検出結果とを取得するステップと、
取得した２つの検出結果の組み合わせに対応させて、予め定めた複数種類の制御処理のうち一つの制御処理を実行するステップと、
を含む入力方法。
【請求項１１】
表示領域を有する表示部と、
前記表示領域に積層されて設けられ、第１の接触操作を検出する第１センサ部と、
前記表示領域と重ならない領域に設けられ、第２の接触操作を検出する、１以上の第２センサ部と、
を備える入力装置を制御するコンピュータに、
前記第１センサ部の検出結果と１以上の前記第２センサ部の各々の検出結果とを取得させ、
取得した２つの検出結果の組み合わせに対応させて、予め定めた複数種類の制御処理のうち一つの制御処理を実行させる、
プログラム。
【手続補正２】
【補正対象書類名】明細書
【補正対象項目名】０００９
【補正方法】変更
【補正の内容】
【０００９】
本発明に係る入力装置は、
表示領域を有する表示部と、
前記表示領域に積層されて設けられ、第１の接触操作を検出する第１センサ部と、
前記表示領域と重ならない領域に設けられ、第２の接触操作を検出する、１以上の第２センサ部と、
前記第１センサ部の検出結果と１以上の前記第２センサ部の各々の検出結果とを取得し、取得した２つの検出結果の組み合わせに対応させて、予め定めた複数種類の制御処理のうち一つの制御処理を実行する制御部と、
を備えることを特徴とする。
【手続補正３】
【補正対象書類名】明細書
【補正対象項目名】００１０
【補正方法】変更
【補正の内容】
【００１０】
本発明に係る入力方法は、
表示部と、第１センサ部と、第２センサ部と、を備える入力装置を用いた入力方法であって、
前記入力装置の前記表示部は表示領域を有し、
前記入力装置の前記第１センサ部は、前記表示領域に積層されて設けられ、第１の接触操作を検出し、
前記入力装置の前記１以上の第２センサ部は、前記表示領域と重ならない領域に設けられ、第２の接触操作を検出し、
前記第１センサ部の検出結果と１以上の前記第２センサ部の各々の検出結果とを取得するステップと、
取得した２つの検出結果の組み合わせに対応させて、予め定めた複数種類の制御処理のうち一つの制御処理を実行するステップと、
を含むことを特徴とする。
【手続補正４】
【補正対象書類名】明細書
【補正対象項目名】００１１
【補正方法】変更
【補正の内容】
【００１１】
本発明に係るプログラムは、
表示領域を有する表示部と、
前記表示領域に積層されて設けられ、第１の接触操作を検出する第１センサ部と、
前記表示領域と重ならない領域に設けられ、第２の接触操作を検出する、１以上の第２センサ部と、
を備える入力装置を制御するコンピュータに、
前記第１センサ部の検出結果と１以上の前記第２センサ部の各々の検出結果とを取得させ、
取得した２つの検出結果の組み合わせに対応させて、予め定めた複数種類の制御処理のうち一つの制御処理を実行させる、ことを特徴とする。
【手続補正５】
【補正対象書類名】明細書
【補正対象項目名】００１２
【補正方法】変更
【補正の内容】
【００１２】
本発明に係る電子機器は、
表示領域を有する表示部と、
前記表示領域に積層されて設けられ、第１の接触操作を検出する第１センサ部と、
前記表示領域と重ならない領域に設けられ、第２の接触操作を検出する、１以上の第２センサ部と、
前記第１センサ部の検出結果と１以上の前記第２センサ部の各々の検出結果とを取得し、取得した２つの検出結果の組み合わせに対応させて、予め定めた複数種類の制御処理のうち一つの制御処理を実行する制御部と、
を備えることを特徴とする。